(57)【要約】【課題】照射時には照射部の有する色に光り、非照射時には着色された色に透過部材が見え、外観側から内部が見えない操作ユニットおよび撮像装置を提供する。【解決手段】照射部３と、光を透過または反射する着色部材２と、着色部材を装着する部材を有し、着色部材２は、照射部３からの照射光を透過し照射部の有する光の色に光り、照射部が非照射時には可視光線を反射する。【選択図】図１
2009069183.tif 000002
【特許請求の範囲】
【請求項１】
発光する照射部と、
光を透過する着色部材と、
前記着色部材に設けられた可視光線を反射する反射面と、
前記着色部材を固定する固定部材を有する電子機器であって、
前記照射部が発光している時は、前記着色部材が、前記照射部からの照射光を前記電子機器の外へ透過し、
前記照射部が発光していない時は、前記反射面が、前記電子機器の外からの可視光線を反射することを特徴とする電子機器。
【請求項２】
前記照射部は、前記着色部材の真下に配置されていることを特徴とする請求項１に記載の電子機器。
【請求項３】
前記着色部材は、前記照射部側または非照射部側の面のいずれか一方に前記照射部の光を透過し、かつ、可視光線を反射する粗しによる反射面を有することを特徴とする請求項１または２に記載の電子機器。
【請求項４】
前記着色部材は、突部を有することを特徴とする請求項１から３のいずれか１項に記載の電子機器。
【請求項５】
前記照射部は、緑色の光を照射することを特徴とする請求項１から４のいずれか１項に記載の電子機器。
【請求項６】
前記着色部材は、緑色に着色されていることを特徴とする請求項１から５のいずれか１項に記載の電子機器。
【請求項７】
請求項１から６のいずれか１項に記載の電子機器を備える撮像装置。
【請求項８】
前記部材は、前記撮像装置の操作部材であることを特徴とする請求項７に記載の撮像装置。
【請求項９】
前記照射部は、光の強さを調節可能とし、照射および非照射を設定可能とすることを特徴とする請求項７または８に記載の撮像装置。
【発明の詳細な説明】
【技術分野】
【０００１】
本発明は、照射部により光る透過部材を有する電子機器および撮像装置に関する。
【背景技術】
【０００２】
操作部材において、操作部材には透過部材が設けてあり、その部分が照射部により光る構造は一般的に見られ、照射時の透過部材の色は照射部が有する色となる。また、非照射時には透過部材は透明および乳白色であるのが一般的である。
【０００３】
これに関連する技術を開示する。
【０００４】
例えば、引用文献１では、液晶表示部を裏側面から照射し発光させる液晶発光部と、操作キー部を発光させるキー発行部とを有し、部分的に発光可能で、消費電力を抑え、製造コストを安くすることができる技術が開示されている。
【特許文献１】特開２００１−２０９３２８号公報
【発明の開示】
【発明が解決しようとする課題】
【０００５】
しかし、操作部材で見られる透過部材は一般的に透明および乳白色であり、照射時には照射部が有する光の色に見え、非照射部には乳白色に見える。
【０００６】
このように、透過部材に乳白色を使用している理由として、透明部材の外観側から照射部などといった内部を見えなくするためである。
【０００７】
しかし、乳白色ではデザインにおいて印象が弱いという問題が挙げられる。
【０００８】
そこで本発明は、照射時には照射部の有する色に光り、非照射時には着色された色に透過部材が見え、外観側から内部が見えない電子機器および撮像装置を提供することを目的とする。
【課題を解決するための手段】
【０００９】
上記の目的を達成するため、請求項１に記載の発明は、照射部と、光を透過または反射する着色部材と、前記着色部材を装着する部材を有し、前記着色部材は、前記照射部からの照射光を透過し前記照射部の有する光の色に光り、前記照射部が非照射時には可視光線を反射する電子機器であることを特徴とする。
【００１０】
請求項２に記載の発明は、請求項１に記載の電子機器において、前記照射部は、前記着色部材の真下に配置されていることを特徴とする。
【００１１】
請求項３に記載の発明は、請求項１または２に記載の電子機器において、前記着色部材は、前記照射部側または非照射部側の面のいずれか一方に前記照射部の光を透過し、かつ、可視光線を反射する粗しによる反射面を有することを特徴とする。
【００１２】
請求項４に記載の発明は、請求項１から３のいずれか１項に記載の電子機器において、前記着色部材は、突部を有することを特徴とする。
【００１３】
請求項５に記載の発明は、請求項１から４のいずれか１項に記載の電子機器において、前記照射部は、緑色の光を照射することを特徴とする。
【００１４】
請求項６に記載の発明は、請求項１から５のいずれか１項に記載の電子機器において、前記着色部材は、緑色に着色されていることを特徴とする。
【００１５】
請求項７に記載の発明は、請求項１から６のいずれか１項に記載の電子機器を備える撮像装置であることを特徴とする。
【００１６】
請求項８に記載の発明は、請求項７に記載の撮像装置において、前記部材は、前記撮像装置の操作部材であることを特徴とする。
【００１７】
請求項９に記載の発明は、請求項７または８に記載の撮像装置において、前記照射部は、光の強さを調節可能とし、照射および非照射を設定可能とすることを特徴とする。
【発明の効果】
【００１８】
本発明によれば、照射時には照射部の有する色に光り、非照射時には着色された色に透過部材が見え、外観側から内部が見えない電子機器および撮像装置を提供することを可能とする。
【発明を実施するための最良の形態】
【００１９】
本発明は、以下を実現する。
【００２０】
外観側から内部が見えてしまうという問題点を改善し、かつ、デザインの良い電子機器および撮像装置を提供する。
【００２１】
上記を実現するために本発明は、以下の好適な態様を有する。
【００２２】
着色された透過部材を使用する。しかし、この材料をそのまま利用したのでは、外観側から内部が見えるという問題が生じる。また、一般的に、ある部材が他の操作部材に囲まれると、実際の色よりも暗くなるという問題が生じる。そこで、非照射時に可視光線を透過するのではなく、反射する必要がある。本発明においては、透過部材に粗しを施すことで可視光線をさせる。また、外観からの見えの防止を行う。
【００２３】
上記の態様により、外観側から内部の見えの防止および非照射時に透過部材は着色された色に見える。それにより、デザイン性の強い操作部材とすることが可能である。
【００２４】
上述した態様を有する電子機器の好適な構成について以下の実施例について説明する。
以下に示す用語は、その要旨を逸脱しない範囲内において当業者が修正や代用を行い、種々の変更を施し、構築することを可能とする。
【実施例】
【００２５】
本発明に係る電子機器の第１の構成について図１を用いて説明する。
図１は、本発明に係る電子機器を示す第１の断面図である。
【００２６】
図１に示すように、部材１に着色部材２が配設されている。
【００２７】
着色部材２の真下に照射部３が配設されている。
【００２８】
また、着色部材２にはブラスト処理や、やすりがけにより反射面４が配設されている。
【００２９】
このように、電子機器を図１のような構成にしたことで、着色部材２から内部が見えなくなるおよび着色部材は非照射時に反射光により着色された色に見えやすいという作用が得られる。
【００３０】
また、着色部材に粗しが施されていることから、外観から内部が見えないおよび着色部材は着色された色に見えやすいという作用が得られる。そのため、着色部材が乳白色のものよりも印象の強いものとすることが可能となる。
【００３１】
本発明に係る電子機器の第２の構成について図２を用いて説明する。
図２は、本発明に係る電子機器を示す第２の断面図である。本構成では、部材１に着色部材２が配設されている。
【００３２】
部材１および着色部材２の真下に照射部３が配設されている。
【００３３】
ここで着色部材２には突起部５が配設されている。
【００３４】
この構成により、着色部材２は操作部材１に引っ掛かる作用が得られる。
【００３５】
このように、電子機器を図２のような構成にしたことで、着色部材に突起が設けられていることから、部材に引っ掛かるという作用が得られる。そのため、着色部材は抜けることがない。
【００３６】
また、部材に対する高さの規制をすることが可能である。
【００３７】
本発明に係る電子機器の第３の構成について図３を用いて説明する。
図３は、本発明に係る電子機器を示す第３の断面図である。本構成では、部材１に着色部材６が配設されている。
【００３８】
図３に示すように、部材１に緑色部材６が配設されている。
【００３９】
また、緑色部材２の真下に照射部３が配設されている。
【００４０】
また、緑色部材６にはブラスト処理や、やすりがけにより反射面４が配設されている。
【００４１】
このように、電子機器を図３のような構成にしたことで、緑色部材６から内部が見えなくなるおよび非照射時に緑色部材が緑色に見えやすい作用が得られる。
【００４２】
また、緑色部材に粗しが施されていることから、外観から内部が見えないおよび着色部材が緑色に見えやすい作用が得られる。そのため、透過部材が乳白色の操作部材よりも印象の強いものとすることが可能である。
【００４３】
本発明に係る撮像装置について図１から図４を用いて説明する。
図４は、本発明に係る撮像装置を示す斜視図である。
本発明に係る撮像装置は、上述した電子機器を備える。
【００４４】
図４に示す撮像装置７の上面に操作部材１が配設されている。
【００４５】
また、操作部材１に緑色部材６が配設されている。
【００４６】
また、緑色部材６の真下に照射部３が配設されている（図４になし、図１から図３に示す照射部３）。
【００４７】
照射部３は、ユーザにより、光の強さを調節可能とし、照射および非照射を設定可能とする。
【００４８】
また、緑色部材６にはブラスト処理や、やすりがけにより反射面４が配設されている。
【００４９】
この構成により、撮像装置７の緑色部材６は照射時には緑色に光り、非照射時には緑色に見えやすい作用が得られる。
【００５０】
また、撮像装置の電源ボタンは照射時には緑色に光り、非照射時には緑色に見えやすい作用が得られるため、デザイン性の強さを印象付けることが可能である。
【００５１】
緑色部材６の真下の照射部３において、照射部のＯＮ／ＯＦＦおよび強さはソフトおよびエレキにより連動される構成としてもよい。
【００５２】
この構成により、背面操作部材８および液晶部９により、照射部の光の強さおよびＯＮ／ＯＦＦの設定が可能である作用が得られる。
【００５３】
また、照射部の光の強さおよびＯＮ／ＯＦＦの設定が可能である作用が得られるため、ユーザーの好みに設定が可能な撮像装置とすることが可能となる。
【図面の簡単な説明】
【００５４】
【図１】本発明に係る電子機器を示す第１の断面図である。
【図２】本発明に係る電子機器を示す第２の断面図である。
【図３】本発明に係る電子機器を示す第３の断面図である。
【図４】本発明に係る撮像装置を示す斜視図である。
【符号の説明】
【００５５】
１    部材／操作部材
２    着色部材
３    照射部
４    反射面
５    突起部
６    緑色部材
７    撮像装置本体
８    背面操作部材
９    液晶部
【図１】
2009069183.tif 000003
【図２】
2009069183.tif 000004
【図３】
2009069183.tif 000005
【図４】
2009069183.tif 000006